(57)【要約】【課題】  本発明は、ケーシングの吸込口から内装される多翼羽根車のインペラに向かう空気の流れの円滑化による、騒音の抑制の実現を目的とする。【解決手段】  本発明に成る遠心ファンのケーシングは、吸込口周縁に設けられるベルマウスの断面形状が、前記ケーシング外部表面から略１８０°の範囲で順次縮小・拡大する半円円弧面、又は、前記ケーシング外部表面から略９０°の範囲で順次縮小する小円弧面及び該円弧面の端縁に連通して順次拡大する大円弧状面、又は、前記ケーシング外部表面から略９０°の範囲で順次縮小する円弧面及び該円弧面の端縁に連通した順次拡大する円錐面とを備えるように形成されている。【選択図】        図１
2005291048.tif 000002
【特許請求の範囲】
【請求項１】
軸方向に開口する吸込口と、円周方向に開口する吐出口を有し、環状内周面が、上流側から下流側に向かって順次拡大するように形成されている蝸牛状ケーシングと、該蝸牛状ケーシングに内装配置される回転自在の多翼羽根車とを備える遠心ファンのケーシングにおいて、前記ケーシングの吸込口周縁に設けられるベルマウスの断面形状が、前記ケーシング外部表面から略１８０°の範囲で順次縮小・拡大する半円円弧面となるように形成されていること、を特徴とする遠心ファンのケーシング。
【請求項２】
軸方向に開口する吸込口と、円周方向に開口する吐出口を有し、環状内周面が、上流側から下流側に向かって順次拡大するように形成されている蝸牛状ケーシングと、該蝸牛状ケーシングに内装配置される回転自在の多翼羽根車とを備える遠心ファンのケーシングにおいて、前記ケーシングの吸込口周縁に設けられるベルマウスの断面形状が、前記ケーシング外部表面から略９０°の範囲で順次縮小する小円弧面及び該小円弧面の端縁に連通して順次拡大する大円弧状面とを備えるように形成されていること、を特徴とする遠心ファンのケーシング。
【請求項３】
軸方向に開口する吸込口と、円周方向に開口する吐出口を有し、環状内周面が、上流側から下流側に向かって順次拡大するように形成されている蝸牛状ケーシングと、該蝸牛状ケーシングに内装配置される回転自在の多翼羽根車とを備える遠心ファンのケーシングにおいて、前記ケーシングの吸込口周縁に設けられるベルマウスの断面形状が、前記ケーシング外部表面から略９０°の範囲で順次縮小する円弧面及び該円弧面の端縁に連通して順次拡大する円錐面とを備えるように形成されていること、を特徴とする遠心ファンのケーシング。
【発明の詳細な説明】
【技術分野】
【０００１】
本発明は、騒音抑制に効果的な、遠心ファンのケーシングの構造に関する。
【背景技術】
【０００２】
【特許文献１】特開Ｈ０５−２３１３９３号公報
【０００３】
本願発明に係る遠心ファンの全体構成やその機能については、上記周知先願公知例にも見られる通り膾炙された技術であるので詳細は省くが、例えば図４の例で、周知の遠心ファンでは、ケーシング１の吸込口を形成するベルマウス１−１が、外部表面から断面円弧状を成すように順次縮小する円弧面１−１６、所謂Ｒ形状を成し、内装される多翼羽根車２のインペラ２−１に近接対向する先端縁は、ほぼ円筒状１−１７に形成されている。
【０００４】
図４に見るように、上述周知技術に成るベルマウス１−１の構成では、インペラ２−１の先端近傍における渦流４の発生に伴う、吸込口近傍における通気の脈動が騒音の一因であることは良く知られており、上記先願公知例もその改善策の一例と言え、記載の効果を実現しているものである。
【発明の開示】
【発明が解決しようとする課題】
【０００５】
しかしながら、上述の如き従来の構成は、効果実現手段を得るために、種々の工程付加を余儀なくされ、留まる事の無い静音化とコストダウンの相反する要件への対策・改善での策が求められているのが実態であった。
【課題を解決するための手段】
【０００６】
本発明に成る遠心ファンのケーシングは、軸方向に開口する吸込口と、円周方向に開口する吐出口を有し、環状内周面が、上流側から下流側に向かって順次拡大するように形成されている蝸牛状ケーシングと、該蝸牛状ケーシングに内装配置される回転自在の多翼羽根車とを備え、前記ケーシングの吸込口周縁に設けられるベルマウスの断面形状が、前記ケーシング外部表面から略１８０°の範囲で順次縮小・拡大する半円円弧面となるように形成され、又は、
【０００７】
前記ケーシングの吸込口周縁に設けられるベルマウスの断面形状が、前記ケーシング外部表面から略９０°の範囲で順次縮小する小円弧面及び該小円弧面の端縁に連通して順次拡大する大円弧状面とを備えるように形成され、又は
【０００８】
前記ケーシングの吸込口周縁に設けられるベルマウスの断面形状が、前記ケーシング外部表面から略９０°の範囲で順次縮小する円弧面及び該円弧面の端縁に連通して順次拡大する円錐面とを備えるように形成されている。
【発明の効果】
【０００９】
本発明に成る遠心ファンのケーシングは、留まる事の無い静音化とコストダウンという相反する要件に対し両立する改善効果を実現している。
【発明を実施するための最良の形態】
【００１０】
以下図面によって本発明の実施例を説明する。
【実施例１】
【００１１】
図１は、本願発明の第１実施例を説明するための部分図で、ケーシング１の吸込口からの空気が、ベルマウス１−１の外側から内側に連通する半円円弧面１−１１に沿う流れを伴うことで、多翼羽根車２のインペラ２−１全域での吸入通気３を円滑にする様子を示している。
【実施例２】
【００１２】
図２は、本願発明の第２実施例を説明するための部分図で、ケーシング１の吸込口からの空気が、ベルマウス１−１の外側の小円弧面１−１２に連通する内側の大円弧面１−１３に沿う流れを伴うことで、多翼羽根車２のインペラ２−１全域での吸入通気３を円滑にする様子を示している。
【実施例３】
【００１３】
図３は、本願発明の第３実施例を説明するための部分図で、ケーシング１の吸込口からの空気が、ベルマウス１−１の外側の円弧面１−１４に連通する内側の円錐面１−１５に沿う流れを伴うことで、多翼羽根車２のインペラ２−１全域での吸入通気３を円滑にする様子を示している。
【００１４】
上述いずれの実施例においても、図４に見る従来技術でのインペラ先端近傍における渦流発生を抑制するもので、図５は、一点鎖線で示す従来技術と、実線で示す第１実施例（図１）、破線で示す第２実施例（図２）、点線で示す第３実施例（図３）の性能を対照するもので、風量性能に有意差を伴う事無く、騒音抑制の面では、従来技術（一点鎖線）に対し、いずれの実施例でも、その低減効果を実現している。
【産業上の利用可能性】
【００１５】
本発明に成る遠心ファンのケーシングは、静音化とコストダウンを両立することの出来る遠心ファンのケーシングとして広く利用できる。
【図面の簡単な説明】
【００１６】
【図１】本発明に成る第１実施例に係る説明図である。
【図２】本発明に成る第２実施例に係る説明図である。
【図３】本発明に成る第３実施例に係る説明図である。
【図４】従来技術に成る例に係る説明図である。
【図５】本願発明に成る例と従来技術例の、性能を対照する図である。
【符号の説明】
【００１７】
１        ケーシング
１−１    ベルマウス
１−１１  半円円弧面
１―１２  外側小円弧面
１−１３  内側大円弧面
１−１４  外側円弧面
１−１５  内側円錐面
１−１６  Ｒ形状部
１−１７  円筒状部
２        多翼羽根車
３        流入通気
４        渦流
【図１】
2005291048.tif 000003
【図２】
2005291048.tif 000004
【図３】
2005291048.tif 000005
【図４】
2005291048.tif 000006
【図５】
2005291048.tif 000007